(57)【特許請求の範囲】
【請求項１】
処分場に廃棄物を埋立てる、処分場埋立システムであって、
前記処分場の法面に沿って複数のベルトコンベアが配設されて法面ベルトコンベアユニットが構成され、
前記法面ベルトコンベアユニットでは、隣接する一方の前記ベルトコンベアの一部と他方の前記ベルトコンベアの一部が、ラップされた状態で相互に切り離し自在に仮固定されており、
前記法面ベルトコンベアユニットを前記法面に沿って引き上げる引き上げ用ウインチを備えていることを特徴とする、処分場埋立システム。
【請求項２】
前記処分場埋立システムは、最上端の前記ベルトコンベアを固定する固定手段をさらに備えており、
前記法面ベルトコンベアユニットが前記法面に沿って引き上げられる際に、最上端の前記ベルトコンベアに対して前記引き上げ用ウインチのワイヤが接続され、最上端の前記ベルトコンベアが前記固定手段から固定解除されるようになっていることを特徴とする、請求項１に記載の処分場埋立システム。
【請求項３】
前記法面の上方から順に配設されている前記複数のベルトコンベアのうち、最後尾のベルトコンベア以外のベルトコンベアは、一端側に車輪を備え、他端側に隣接するベルトコンベアに対して仮固定される仮固定部を備えており、
前記最後尾のベルトコンベアは、一端側と他端側の双方に前記車輪を備えていることを特徴とする、請求項１又は２に記載の処分場埋立システム。
【請求項４】
前記法面には、前記車輪が走行するレールが敷設されており、
前記レールには、前記複数のベルトコンベアの有する前記車輪が係止されるストッパーが取り付けられており、
前記ストッパーの背面には、前記引き上げ用ウインチによる引き上げの際に移動してきた前記ベルトコンベアの有する前記車輪が乗り上げ自在な斜面が設けられていることを特徴とする、請求項３に記載の処分場埋立システム。
【請求項５】
前記処分場のうち、場外の一角にはダンピングヤードが設けられ、
前記ダンピングヤードから前記処分場の外縁に沿って延設し、前記処分場における複数の埋立区画に対して前記廃棄物を搬送する搬送ベルトコンベアが設けられており、
前記搬送ベルトコンベアに対して、前記埋立区画に対応した前記法面ベルトコンベアユニットが前記廃棄物を受け渡し自在に配設されていることを特徴とする、請求項１乃至４のいずれか一項に記載の処分場埋立システム。
【請求項６】
前記法面ベルトコンベアユニットを構成する各ベルトコンベアと前記搬送ベルトコンベアがいずれも、ベルトコンベアの上方において該ベルトコンベアの長手方向に延設する飛散防止カバーを備えていることを特徴とする、請求項５に記載の処分場埋立システム。
【請求項７】
処分場に廃棄物を埋立てる、処分場埋立方法であって、
前記処分場の法面に沿って複数のベルトコンベアを配設して法面ベルトコンベアユニットを構築し、この際に、隣接する一方の前記ベルトコンベアの一部と他方の前記ベルトコンベアの一部をラップさせた状態で、相互に切り離し自在に仮固定する、法面ベルトコンベアユニット構築工程と、
前記法面ベルトコンベアユニットを用いて、前記処分場の所定レベルまで前記廃棄物を埋立て、前記法面ベルトコンベアユニットを構成する最上端の前記ベルトコンベアを引き上げ用ウインチにて引き上げ、該最上端のベルトコンベアを撤去する、埋立て引き上げ工程と、を有し、
前記埋立て引き上げ工程を複数回実施することにより、前記法面ベルトコンベアユニットを順次撤去しながら、前記処分場に前記廃棄物を埋立てることを特徴とする、処分場埋立方法。
【発明の詳細な説明】
【技術分野】
【０００１】
本発明は、処分場埋立システム及び処分場埋立方法に関する。
【背景技術】
【０００２】
家庭ごみなどの一般廃棄物や工場等から排出される産業廃棄物、除染に伴い発生した土壌や廃棄物等の放射性廃棄物は、廃棄物処分場にて埋立貯蔵される。この廃棄物処分場は、山間部や臨海部に造成されるのが一般的であり、処分場の構造としては、安定型や管理型、遮断型が存在している。
廃棄物処分場（以下、処分場という）は、底面と、底面から上方に末広がりに広がる所定勾配の法面（法面は、一段の法面、固定工を有する小段を介した多段の法面がある）とを有し、底面や法面には不織布や遮水シートが施工される。処分場の外縁には場内管理用道路が敷設され、場内管理用道路の一部から底面に通じる搬入路が法面に擦り付けられるようにして設けられており、廃棄物を搭載したダンプトラック等の運搬車両はこの搬入路を経て処分場の底面にアクセスすることができる。
処分場では、上記する搬入路を経た運搬車両による廃棄物の搬入と、バックホウやブルドーザ等の重機による埋立てや転圧等が行われる。しかしながら、例えば一本の搬入路を経て運搬車両が処分場内にアクセスし、底面にダンプアップする方法では、埋立処分効率が低くならざるを得ない。そしてこの課題は、処分場における埋立てが進行し、底面が徐々に高くなる過程においても絶えず存在する。尚、特許文献１においても、搬入路（ここでは、廃棄物搬入路）を経てトラックにて廃棄物が最終処分場内に搬入され、廃棄物を種類ごとに区分けした後、埋立てを行う技術が開示されている。
【先行技術文献】
【特許文献】
【０００３】
【特許文献１】特開２０１５−１１６５１５号公報
【発明の概要】
【発明が解決しようとする課題】
【０００４】
本発明は、効率的に廃棄物を埋立貯蔵することのできる、処分場埋立システム及び処分場埋立方法を提供することを目的としている。
【課題を解決するための手段】
【０００５】
前記目的を達成すべく、本発明による処分場埋立システムの一態様は、
処分場に廃棄物を埋立てる、処分場埋立システムであって、
前記処分場の法面に沿って複数のベルトコンベアが配設されて法面ベルトコンベアユニットが構成され、
前記法面ベルトコンベアユニットでは、隣接する一方の前記ベルトコンベアの一部と他方の前記ベルトコンベアの一部が、ラップされた状態で相互に切り離し自在に仮固定されており、
前記法面ベルトコンベアユニットを前記法面に沿って引き上げる引き上げ用ウインチを備えていることを特徴とする。
【０００６】
本態様によれば、処分場の法面に沿った複数のベルトコンベアにより構成される法面ベルトコンベアユニットを適用し、法面ベルトコンベアユニットにて廃棄物を処分場の底面に搬送することにより、搬入路を経て運搬車両にて廃棄物を搬送する方法に比べて、廃棄物の搬送効率とこれに起因する埋立効率を格段に高めることができる。
さらに、法面ベルトコンベアユニットにおいて、隣接する一方のベルトコンベアの一部と他方のベルトコンベアの一部が、ラップされた状態で相互に切り離し自在に仮固定され、場内における埋立てが進行する過程で引き上げ用ウインチにて法面ベルトコンベアユニットが法面に沿って引き上げられることにより、埋立ての進行に応じて法面ベルトコンベアユニットを引き上げながら徐々に解体することができる。
【０００７】
ここで、「隣接する一方のベルトコンベアの一部と他方のベルトコンベアの一部がラップされた状態」とは、例えば、相対的に引き上げ方向前方に位置する一方のベルトコンベアの後方側の端部が、相対的に引き上げ方向後方に位置する他方のベルトコンベアの前方側の端部の上に載置されている状態を意味している。このようにして、隣接する一方のベルトコンベアの引き上げ方向後方側の端部が他方のベルトコンベアの前方側の端部の上に載置されることにより、一方のベルトコンベア上を搬送された廃棄物は、当該一方のベルトコンベアの後方側の端部から下方へ落下した後、他方のベルトコンベアの前方側の端部の上に搬出され、この他方のベルトコンベア上を搬送されることになる。隣接するベルトコンベア間を廃棄物が順次搬送されることにより、処分場の底面まで廃棄物を搬送することができる。
尚、一以上の小段を有し、複数の法面を有する処分場においては、最下段の小段から処分場の底面中央側に延びるようにして構台を構築し、構台の下方にある底面（もしくは場内道路）に運搬車両を走行させたり、バックホウ等の重機を走行させるようにしてもよい。この場合、法面ベルトコンベアユニットは、法面上に配設される複数のベルトコンベアに加えて、構台上に配設される一以上のベルトコンベアを含み、最後尾のベルトコンベアは構台の端部に臨むことになる。構台の端部には処分場の底面近傍まで延びるシュート等が装備され、最後尾のベルトコンベアから搬出された廃棄物はシュート等を介して処分場の底面に搬送される。
「廃棄物」には、家庭ごみなどの一般廃棄物や工場等から排出される産業廃棄物、除染に伴い発生した汚染土壌等が含まれる。この汚染土壌に関しては、中間貯蔵施設を構成する処分土受入・分別処理施設建屋等において分別処理及び改質処理がなされた土壌が含まれる。
【０００８】
また、本発明による処分場埋立システムの他の態様において、前記処分場埋立システムは、最上端の前記ベルトコンベアを固定する固定手段をさらに備えており、
前記法面ベルトコンベアユニットが前記法面に沿って引き上げられる際に、最上端の前記ベルトコンベアに対して前記引き上げ用ウインチのワイヤが接続され、最上端の前記ベルトコンベアが前記固定手段から固定解除されるようになっていることを特徴とする。
【０００９】
本態様によれば、法面ベルトコンベアユニットが法面に沿って配設されている状態においては、最上端のベルトコンベアが固定手段により固定され、埋立ての進行に伴い法面ベルトコンベアユニットが法面に沿って引き上げられる際には、最上端のベルトコンベアが引き上げ用ウインチのワイヤに接続されて引き上げられ、最上端のベルトコンベアが完全に引き上げられた際に、最上端のベルトコンベアが固定手段から固定解除され、法面ベルトコンベアユニットから取り外される。次いで、次に最上端の位置に到達したベルトコンベアが固定手段に固定されることにより、廃棄物の埋立ての進行に応じて法面ベルトコンベアユニットが所定高さまで引き上げられてその一部のベルトコンベアが撤去され、法面ベルトコンベアユニットを法面に沿って再度固定することができ、効率的な法面ベルトコンベアユニットの盛り替えを実現することができる。
ここで、「固定手段」としては、処分場の外縁の場内管理用道路等に固定されているアンカーと、当該アンカーにて控えが取られているワイヤとの組み合わせ等が挙げられる。
【００１０】
また、本発明による処分場埋立システムの他の態様は、前記法面の上方から順に配設されている前記複数のベルトコンベアのうち、最後尾のベルトコンベア以外のベルトコンベアは、一端側に車輪を備え、他端側に隣接するベルトコンベアに対して仮固定される仮固定部を備えており、
前記最後尾のベルトコンベアは、一端側と他端側の双方に前記車輪を備えていることを特徴とする。
【００１１】
本態様によれば、法面ベルトコンベアユニットを構成する最後尾のベルトコンベア以外のベルトコンベアが、隣接するベルトコンベアに対して仮固定される仮固定部を備え、最後尾のベルトコンベアが、双方の端部に車輪を備えていることにより、引き上げ用ウインチによる法面ベルトコンベアユニットの引き上げに際して、全てのベルトコンベアが法面に引きずられることなく、スムーズに法面上を移動することができる。
例えば、法面ベルトコンベアユニットを構成するベルトコンベアが十基ある形態では、最後尾のベルトコンベア以外の九基のベルトコンベアは、例えば引き上げ方向前方側に一対の車輪（前輪）を備え、引き上げ方向後方側に仮固定部を備えており、この仮固定部が隣接する引き上げ方向後方のベルトコンベアの上に乗り上げ、当該ベルトコンベアに対して仮固定される。そして、最後尾のベルトコンベアは、引き上げ方向前方と後方にそれぞれ一対の車輪（前輪と後輪）を備える。尚、最後尾のベルトコンベアの有する後輪は、例えば、開度角度を変更自在な支持脚の下端に設けられてもよい。このように開度角度を変更自在な支持脚を備えていると、最後尾のベルトコンベアが法面上に位置する場合と、上記するように小段から張り出すようにして構築された構台上に位置する場合とで、最後尾のベルトコンベアの傾斜角度を所望に調整することが可能になる。
【００１２】
また、本発明による処分場埋立システムの他の態様において、前記法面には、前記車輪が走行するレールが敷設されており、
前記レールには、前記複数のベルトコンベアの有する前記車輪が係止されるストッパーが取り付けられており、
前記ストッパーの背面には、前記引き上げ用ウインチによる引き上げの際に移動してきた前記ベルトコンベアの有する前記車輪が乗り上げ自在な斜面が設けられていることを特徴とする。
【００１３】
本態様によれば、法面にベルトコンベアの有する車輪が走行するレールが敷設されていることにより、複数のベルトコンベアが接続されてなる法面ベルトコンベアユニットを、レールに沿って所望する方向にスムーズに移動（処分場の底面側への移動や、処分場の上方への移動（引き上げ））させることができる。
また、複数のベルトコンベアの有する車輪がそれぞれ係止されるストッパーがレールに取り付けられていることにより、各ベルトコンベアの車輪をそれぞれレール上に係止させることができる。そのため、最上端のベルトコンベアがワイヤ等を介して控えアンカー等（これらをまとめて固定手段）に固定されている場合に、仮にワイヤが切断等して固定手段に対する固定が解除された場合であっても、各ベルトコンベアの車輪は固有のストッパーに係止されていることから、法面ベルトコンベアユニットがレールに沿って下方に落下していくことを防止できる。
【００１４】
さらに、ストッパーの背面に斜面が設けられていることにより、引き上げ用ウインチによる法面ベルトコンベアユニットの引き上げの際に、移動してきた各ベルトコンベアの有する車輪がストッパーの背面にある斜面に沿ってスムーズに乗り上げることができる。このことにより、各ベルトコンベアをレールに対して安定的に係止させるべく設けられたストッパーが、逆にベルトコンベアの法面上方への移動の妨げになるといった課題を解消することができる。
【００１５】
また、本発明による処分場埋立システムの他の態様において、前記処分場のうち、場外の一角にはダンピングヤードが設けられ、
前記ダンピングヤードから前記処分場の外縁に沿って延設し、前記処分場における複数の埋立区画に対して前記廃棄物を搬送する搬送ベルトコンベアが設けられており、
前記搬送ベルトコンベアに対して、前記埋立区画に対応した前記法面ベルトコンベアユニットが前記廃棄物を受け渡し自在に配設されていることを特徴とする。
【００１６】
本態様によれば、処分場の外縁において、ダンピングヤードから処分場における複数の埋立区画に対して廃棄物を搬送する搬送ベルトコンベアが設けられ、この搬送ベルトコンベアに対して埋立区画に対応した複数の法面ベルトコンベアユニットが廃棄物を受け渡し自在に配設されていることにより、ダンピングヤードから処分場の各埋立区画の底面まで廃棄物を効率的に搬送することができ、より一層効率的な廃棄物の埋立貯蔵を実現できる。
本態様では、最初に埋立貯蔵が行われる埋立区画に法面ベルトコンベアユニットが設けられ、各埋立区画への埋立貯蔵の際に、一基の法面ベルトコンベアユニットが順次盛り替え（移設）られて使用されるものであるが、各埋立区画に対して固有の法面ベルトコンベアユニットが設けられてもよい。前者の形態では、埋立区画への廃棄物の埋立貯蔵に応じて複数のベルトコンベアが順次撤去されることから、次の埋立区画への廃棄物の埋立貯蔵に際しては、撤去された各ベルトコンベアが再度組み付けられ、法面ベルトコンベアユニットが再構築されることになる。
【００１７】
ここで、「搬送ベルトコンベアに対して法面ベルトコンベアユニットが廃棄物を受け渡し自在に配設されている」形態として、例えば、搬送ベルトコンベアの下方位置に引き出しベルトコンベアを装備しておき、引き出しベルトコンベアの下方位置に、法面ベルトコンベアユニットを構成する最上端のベルトコンベアを装備しておくことにより、引き出しベルトコンベアを介して、搬送ベルトコンベアから法面ベルトコンベアユニットに廃棄物を受け渡す形態等が挙げられる。例えば、場内管理用道路に沿って、構台を構築し、構台の上に搬送ベルトコンベアを搭載する場合には、構台上において、搬送ベルトコンベアと引き出しベルトコンベアが交差するようにして設置される。構台において施工対象の埋立区画に対応する位置にシュート等を設けておき、搬送ベルトコンベアを搬送された廃棄物を引き出しベルトコンベアを介し、シュート等を介して法面ベルトコンベアユニットに受け渡すことができる。
処分場に複数の埋立区画がある場合には、ダンピングヤードから最も離れた埋立区画から順に廃棄物の埋立貯蔵が行われるのがよい。最も離れた埋立区画における廃棄物の埋立貯蔵が終了した後、次にダンピングヤードから最も離れた埋立区画において廃棄物の埋立貯蔵を行う。この際に、既に埋立貯蔵が終了している埋立区画まで延びている搬送ベルトコンベアの一部や構台等が撤去されるのがよい。そして、例えば構台上において、撤去されている引き出しベルトコンベアが次の埋立区画に対応する位置に盛り替えられ、撤去されている各ベルトコンベアが再度組み付けられることにより、法面ベルトコンベアユニットが再構築される。
【００１８】
また、本発明による処分場埋立システムの他の態様は、前記法面ベルトコンベアユニットを構成する各ベルトコンベアと前記搬送ベルトコンベアがいずれも、ベルトコンベアの上方において該ベルトコンベアの長手方向に延設する飛散防止カバーを備えていることを特徴とする。
本態様によれば、搬送ベルトコンベアと法面ベルトコンベアユニットを構成する各ベルトコンベアの全てのベルトコンベアがその延設する方向に飛散防止カバーを備えていることにより、廃棄物の搬送過程における廃棄物の飛散を効果的に防止することができる。
【００１９】
また、本発明による処分場埋立方法の一態様は、
処分場に廃棄物を埋立てる、処分場埋立方法であって、
前記処分場の法面に沿って複数のベルトコンベアを配設して法面ベルトコンベアユニットを構築し、この際に、隣接する一方の前記ベルトコンベアの一部と他方の前記ベルトコンベアの一部をラップさせた状態で、相互に切り離し自在に仮固定する、法面ベルトコンベアユニット構築工程と、
前記法面ベルトコンベアユニットを用いて、前記処分場の所定レベルまで前記廃棄物を埋立て、前記法面ベルトコンベアユニットを構成する最上端の前記ベルトコンベアを引き上げ用ウインチにて引き上げ、該最上端のベルトコンベアを撤去する、埋立て引き上げ工程と、を有し、
前記埋立て引き上げ工程を複数回実施することにより、前記法面ベルトコンベアユニットを順次撤去しながら、前記処分場に前記廃棄物を埋立てることを特徴とする。
【００２０】
本態様によれば、処分場の法面に沿って複数のベルトコンベアを配設して法面ベルトコンベアユニットを構築するに当たり、隣接する一方のベルトコンベアの一部と他方のベルトコンベアの一部をラップさせた状態で相互に切り離し自在に仮固定する。このような構成の法面ベルトコンベアユニットを用いることで、処分場の所定レベルまで廃棄物を埋立てた後、法面ベルトコンベアユニットを引き上げて最上端のベルトコンベアを撤去し、この埋立てと引き上げ及びベルトコンベアの一部撤去を繰り返すことにより、廃棄物を効率的に埋立貯蔵することができる。
【発明の効果】
【００２１】
本発明の処分場埋立システム及び処分場埋立方法によれば、効率的に廃棄物を埋立貯蔵することができる。
【図面の簡単な説明】
【００２２】
【図１】実施形態に係る処分場埋立システムが適用される処分場の一例の平面図である。
【図２】実施形態に係る処分場埋立システムにおける廃棄物の処理フローを示す図である。
【図３】第一構台上に設置された搬送ベルトコンベアの一例の正面図である。
【図４】第一構台上に設置された搬送ベルトコンベアと第二構台上に設置された引き出しベルトコンベア、及び法面ベルトコンベアユニットを構成する最上端のベルトコンベアを示す側面図である。
【図５】多段の法面に対して設置されている法面ベルトコンベアユニットの一例の側面図である。
【図６Ａ】法面ベルトコンベアユニットを構成する一般部のベルトコンベアの一例の平面図である。
【図６Ｂ】法面ベルトコンベアユニットを構成する一般部のベルトコンベアの一例の側面図である。
【図７】法面ベルトコンベアユニットを構成するベルトコンベアの一例の正面図である。
【図８】レールとレールに装備されたストッパーにベルトコンベアの車輪が係止されている状態を示す側面図である。
【図９Ａ】法面ベルトコンベアユニットを構成する最後尾のベルトコンベアの一例の平面図である。
【図９Ｂ】法面ベルトコンベアユニットを構成する最後尾のベルトコンベアの一例の側面図である。
【図１０】実施形態に係る処分場埋立方法の一例の工程図である。
【図１１】図１０に続いて実施形態に係る処分場埋立方法の一例の工程図である。
【図１２】図１１に続いて実施形態に係る処分場埋立方法の一例の工程図である。
【図１３】図１２に続いて実施形態に係る処分場埋立方法の一例の工程図である。
【図１４】図１３に続いて実施形態に係る処分場埋立方法の一例の工程図である。
【図１５】図１４に続いて実施形態に係る処分場埋立方法の一例の工程図である。
【発明を実施するための形態】
【００２３】
以下、実施形態に係る処分場埋立システムと処分場埋立方法について、添付の図面を参照しながら説明する。尚、本明細書及び図面において、実質的に同一の構成要素については、同一の符号を付することにより重複した説明を省く場合がある。
【００２４】
［実施形態に係る処分場埋立システム］
はじめに、図１乃至図９を参照して、実施形態に係る処分場埋立システムの一例について説明する。ここで、図１は、実施形態に係る処分場埋立システムが適用される処分場の一例の平面図である。
【００２５】
図１に示すように、処分場埋立システム３００は、廃棄物が埋立貯蔵される処分場１００と、処分場１００の外縁に設けられている場内管理用道路１０２に沿って延設する搬送ベルトコンベア１３０と、搬送ベルトコンベア１３０から廃棄物が引き渡される引き出しベルトコンベア１４０と、引き出しベルトコンベア１４０から引き渡された廃棄物を処分場に搬送する法面ベルトコンベアユニット２００とを有する。図示する処分場１００は、例えば中間貯蔵施設を構成する処分場であり、廃棄物は、中間貯蔵施設を構成する処分土受入・分別処理施設建屋（図示せず）等において分別処理及び改質処理がなされた土壌である。
【００２６】
処分場１００の場外には、ダンピングヤード１２０が設けられており、ダンピングヤード１２０にて廃棄物がダンプアップされるようになっている。
【００２７】
処分場１００は複数の小段１０８を介して所定勾配の複数の法面１０４を備えており、法面１０４の最下段に平面的に広がる底面１０６を備えている。処分場１００の外縁に設けられている場内管理用道路１０２の一部から、底面１０６にアクセスするための搬送路１１０が法面１０４に擦り付けられるようにして設けられている。
【００２８】
尚、図示を省略するが、底面１０６や法面１０４、及び小段１０８は、不織布や遮水シート、ベントナイトマット、導電性マットなどが積層された遮水工を備えており、不織布や遮水シートは遮水工の上下にそれぞれ設けられている。また、処分場内における廃棄物の埋立貯蔵が終了した際に、廃棄物の上方には被覆工が施工されるが、この被覆工は、砂質の排気層、不織布、遮水シート、及び最終覆土などを積層することにより形成される。
【００２９】
搬送ベルトコンベア１３０は、ダンピングヤード１２０に通じる第一搬送ベルトコンベア１３１と、第一搬送ベルトコンベア１３１から屈曲して場内管理用道路１０２に沿って延びる第二搬送ベルトコンベア１３２とを有する。
【００３０】
処分場１００は四つの埋立区画を備えており、ダンピングヤード１２０から最も離れた位置に第一埋立区画Ｐ１が設けられ、ダンピングヤード１２０に近づくに従い、第二埋立区画Ｐ２、第三埋立区画Ｐ３、及び第四埋立区画Ｐ４が順に設けられている。尚、処分場１００における埋立区画の数は図示例に限定されない。
【００３１】
処分場１００においては、第一埋立区画Ｐ１から順に廃棄物の埋立貯蔵が行われるようになっており、以後、第二埋立区画Ｐ２の埋立貯蔵（Ｙ１方向）、第三埋立区画Ｐ３の埋立貯蔵（Ｙ２方向）、最後に第四埋立区画Ｐ４の埋立貯蔵（Ｙ３方向）の順に埋立貯蔵が行われる。
【００３２】
図１に示すように、第一埋立区画Ｐ１の埋立貯蔵に際しては、第二搬送ベルトコンベア１３２は場内管理用道路１０２に沿って第一埋立区画Ｐ１の途中位置まで延びており、第二搬送ベルトコンベア１３２の終端に引き出しベルトコンベア１４０が設けられ、引き出しベルトコンベア１４０の端部から法面１０４に沿って法面ベルトコンベアユニット２００が設けられている。
【００３３】
図１に示すように、ダンピングヤード１２０にダンプアップされた廃棄物は、第一搬送ベルトコンベア１３１、第二搬送ベルトコンベア１３２をＸ１方向に搬送され、第二搬送ベルトコンベア１３２の終端において引き出しベルトコンベア１４０へＸ２方向に引き渡され、引き出しベルトコンベア１４０から法面ベルトコンベアユニット２００に引き渡され、法面ベルトコンベアユニット２００を介して底面１０６へＸ３方向に搬送される。
【００３４】
以下で詳説するが、法面ベルトコンベアユニット２００は、廃棄物の埋立貯蔵が進行する過程で法面に沿って引き上げられ、その構成要素であるベルトコンベア２１０が徐々に撤去されるようになっている。
【００３５】
第一埋立区画Ｐ１への廃棄物の埋立貯蔵が終了した段階では、法面ベルトコンベアユニット２００は完全に撤去されており、次の第二埋立区画Ｐ２への廃棄物の埋立貯蔵に際して、引き出しベルトコンベア１４０も撤去される。そして、第二埋立区画Ｐ２の埋立貯蔵に当たり、第二搬送ベルトコンベア１３２における第二埋立区画Ｐ２に対応する位置に、撤去されている引き出しベルトコンベア１４０が盛り替え設置される（引き出しベルトコンベア１４０'の盛り替え構築）。そして、同様に撤去されている法面ベルトコンベアユニット２００が、引き出しベルトコンベア１４０と第二埋立区画Ｐ２における底面１０６を繋ぐようにして盛り替え設置される（法面ベルトコンベアユニット２００'の盛り替え構築）。
【００３６】
尚、処分場１００においては、以下、図３及び図４を参照して説明するように、場内管理用道路１０２に構築された第一構台１５０に搬送ベルトコンベア１３０が搭載され、第一構台１５０に連続する第二構台１６０に引き出しベルトコンベア１４０が搭載される。第一埋立区画Ｐ１の埋立てが終了した段階で、法面ベルトコンベアユニット２００と引き出しベルトコンベア１４０が撤去されるが、次いで、第一埋立区画Ｐ１に対応する第二構台１６０や、第一構台１５０の第一埋立区画Ｐ１と第二埋立区画Ｐ２の間の区間も撤去されるのがよい。このように、各埋立区画における廃棄物の埋立貯蔵の終了に応じて、第一構台１５０と第二構台１６０が撤去されることにより、処分場１００に対する廃棄物の埋立貯蔵が完了した際に、第一構台１５０と第二構台１６０、第二搬送ベルトコンベア１３２、引き出しベルトコンベア１４０、及び法面ベルトコンベアユニット２００が完全に撤去され、各設備が効率的に撤去されることになる。
【００３７】
次に、図２を参照して、処分場埋立システム３００における廃棄物の処理フローを説明する。ここで、図２は、実施形態に係る処分場埋立システムにおける廃棄物の処理フローを示す図である。
【００３８】
ダンプトラックＤＴにより搬送されてきた廃棄物は、ダンピングヤード１２０に装備されているダブルスクリューフィーダ１２２へＺ１方向にダンプアップされ、ダブルスクリューフィーダ１２２を介して第一搬送ベルトコンベア１３１へＺ２方向に搬出される。
【００３９】
第一搬送ベルトコンベア１３１上を搬送された廃棄物は、第二搬送ベルトコンベア１３２へＺ３方向に搬出され、第二搬送ベルトコンベア１３２上を搬送された後、埋立対象の埋立区画に対応する位置に設けられている引き出しベルトコンベア１４０へＺ４方向に搬出される。引き出しベルトコンベア１４０に搬出された廃棄物は、埋立対象の埋立区画における法面１０４に沿って設けられている法面ベルトコンベアユニット２００へＺ５方向に搬出される。
【００４０】
ここで、法面ベルトコンベアユニット２００は、法面１０４の上方から順に、最上端のベルトコンベア２１０Ａ、複数のベルトコンベア２１０、及び最後尾のベルトコンベア２２０を有している。最上端のベルトコンベア２１０Ａとベルトコンベア２１０は同様の構成を備えており、具体的には、その一端側に車輪２１５を備え、他端側に隣接するベルトコンベア２１０に対して仮固定される仮固定部２１６を備えている。
【００４１】
一方、最後尾のベルトコンベア２２０は、その一端側と他端側の双方に車輪を備えており、より具体的には、一端側に車輪２２５を備え、他端側に車輪付き支持脚２２６を備えている。
【００４２】
そして、隣接する一方のベルトコンベア２１０（２１０Ａ）の一部と他方のベルトコンベア２１０（２２０）の一部が相互にラップされ、仮固定部２１６にて相互に切り離し自在に仮固定されることにより、複数のベルトコンベア２１０が法面１０４に沿って段状に連続した構成の法面ベルトコンベアユニット２００が形成される。
【００４３】
引き出しベルトコンベア１４０に搬出された廃棄物は、最上端のベルトコンベア２１０ＡへＺ５方向に搬出され、法面ベルトコンベアユニット２００では、最上端のベルトコンベア２１０Ａから順に、各ベルトコンベア２１０及び最後尾のベルトコンベア２２０へＺ６方向に廃棄物が搬出され、底面１０６に廃棄物Ｗが搬出される。
【００４４】
例えば、場内管理用道路１０２には、固定手段２５０と引き上げ用ウインチ２６０が設けられている。固定手段２５０は、控えアンカー２５１と、控えアンカー２５１と最上端のベルトコンベア２１０Ａを繋ぐワイヤ２５２とを有する。法面ベルトコンベアユニット２００を用いて廃棄物を処分場内へ搬送する際は、最上端のベルトコンベア２１０Ａがワイヤ２５２を介して控えアンカー２５１に固定される。一方、廃棄物の埋立貯蔵が進行する過程で、引き上げ用ウインチ２６０と最上端のベルトコンベア２１０Ａをワイヤにて繋ぎ、引き上げ用ウインチ２６０を作動して法面１０４に沿って法面ベルトコンベアユニット２００を引き上げ、その構成要素であるベルトコンベア２１０が引き上げの都度撤去されるようになっている。
【００４５】
次に、図３及び図４を参照して、構台上に設置された搬送ベルトコンベア及び引き出しベルトコンベアの構成について説明する。ここで、図３は、第一構台上に設置された搬送ベルトコンベアの一例の正面図であり、図４は、第一構台上に設置された搬送ベルトコンベアと第二構台上に設置された引き出しベルトコンベア、及び法面ベルトコンベアユニットを構成する最上端のベルトコンベアを示す側面図である。
【００４６】
図３に示すように、第一構台１５０は、Ｈ形鋼等の形鋼材や角形鋼管等からなる縦材や横架材、斜材が組み付けられることにより形成されたフレーム部材であり、その上段の横架材に搬送ベルトコンベア１３０（第二搬送ベルトコンベア１３２）が載置されている。
【００４７】
搬送ベルトコンベア１３０は、架台１３５に対して、廃棄物Ｗが載置されるコンベアベルト１３８が無端状に支持されている。このコンベアベルト１３８は、搬送側が複数のキャリアローラ１３６により支持され、リターン側がリターンローラ１３７により支持されている。
【００４８】
搬送ベルトコンベア１３０の架台１３５の上方には、亜鉛引き鉄板等により形成されている飛散防止カバー１３９が取り付けられており、コンベアベルト１３８上を搬送される廃棄物Ｗの周囲への飛散が抑止されている。
【００４９】
場内管理用道路１０２において、その長手方向に沿うようにして第一構台１５０を構築し、第一構台１５０上に搬送ベルトコンベア１３０を載置したことにより、第一構台１５０の下方空間１５０Ａにおいて車両を通行させることができる。
【００５０】
また、図４に示すように、第一構台１５０から法面１０４側へ張り出すようにして第二構台１６０が構築される。図示例では、第二構台１６０の上方に、二基の引き出しベルトコンベア１４１，１４２が双方の端部をラップさせた状態で配設されている。第一引き出しベルトコンベア１４１と第二引き出しベルトコンベア１４２もその具体的な構成は図３に示す搬送ベルトコンベア１３０と同様であり、それらの上方には飛散防止カバー１４５が取り付けられている。
【００５１】
第二搬送ベルトコンベア１３２から第一引き出しベルトコンベア１４１へＸ２'方向に搬出された廃棄物は、第一引き出しベルトコンベア１４１を経て、第二引き出しベルトコンベア１４２へＸ２"方向に搬出される。第二引き出しベルトコンベア１４２の法面１０４側の端部には伸縮シュート１４８が取り付けられており、伸縮シュート１４８の下端は最上端のベルトコンベア２１０Ａに接続されている。第二引き出しベルトコンベア１４２へ搬出された廃棄物は、伸縮シュート１４８を介して、最上端のベルトコンベア２１０ＡへＸ２'''方向に搬出される。
【００５２】
尚、図４には、引き上げ用ウインチ２６０を作動して、法面ベルトコンベアユニット２００を引き上げている状態をともに示している。図示例では、第一構台１５０の支持脚に引き上げ用ウインチ２６０が取り付けられており、引き上げ用ウインチ２６０を作動してワイヤ２６１をＸ５方向に巻装することにより、法面ベルトコンベアユニット２００を構成する最上端のベルトコンベア２１０Ａが場内管理用道路１０２へＸ６方向に引き上げられる。
【００５３】
場内管理用道路１０２に引き上げられた最上端のベルトコンベア２１０Ａは、法面ベルトコンベアユニット２００から取り外される。この最上端のベルトコンベア２１０Ａの取り外しにより、法面ベルトコンベアユニット２００を構成するベルトコンベア２１０の基数は低減していき、新たに最上端に位置したベルトコンベアが新たな最上端のベルトコンベア２１０Ａとなる。
【００５４】
廃棄物の埋立貯蔵の進行に伴い、このような法面ベルトコンベアユニット２００の引き上げと、その構成要素である最上端のベルトコンベア２１０Ａの取り外しが都度行われる。
【００５５】
図５は、多段の法面に対して設置されている法面ベルトコンベアユニットの一例の側面図である。図５に示す法面ベルトコンベアユニット２００は、九基のベルトコンベア２１０（一般部のベルトコンベア）と最後尾のベルトコンベア２２０からなる、計十基のベルトコンベアが段状に連続したベルトコンベアユニットである。処分場内のうち、底面１０６から一段目と二段目の小段１０８の間には場内道路１１４が造成され、場内道路１１４を重機や運搬車両が走行できるように、下方から二段目の小段１０８に一端を支持させるようにして第三構台２７５が構築されている。そして、第三構台２７５の端部に位置する最後尾のベルトコンベア２２０の端部には、底面１０６の近傍まで垂下するシュート２７０が取り付けられている。
【００５６】
第二搬送ベルトコンベア１３２の終端において引き渡された廃棄物は、引き出しベルトコンベア１４０をＸ２方向に搬送され、引き出しベルトコンベア１４０から法面ベルトコンベアユニット２００に引き渡され、法面ベルトコンベアユニット２００を介し、シュート２７０を介して底面１０６へ搬送される。このように、処分場埋立システム３００は、処分場内においては、法面ベルトコンベアユニット２００のみならず、作業用の構台（第三構台２７５）等を有し得るが、第三構台２７５を具備しない構成であってもよい。
【００５７】
次に、図６乃至図９を参照して、一般部のベルトコンベアと最後尾のベルトコンベアの具体的な構成と、各ベルトコンベアが走行するレールについて説明する。
【００５８】
まず、図６Ａ及び図６Ｂと、図７及び図８を参照して、一般部のベルトコンベアの構成とレールの構成について説明する。ここで、図６Ａと図６Ｂはそれぞれ、法面ベルトコンベアユニットを構成する一般部のベルトコンベアの一例の平面図と側面図である。また、図７は、法面ベルトコンベアユニットを構成するベルトコンベアの一例の正面図であり、図８は、レールとレールに装備されたストッパーにベルトコンベアの車輪が係止されている状態を示す側面図である。
【００５９】
一般部のベルトコンベア２１０（２１０Ａ）（最後尾のベルトコンベア以外のベルトコンベア）は、所定長さの架台２１１と、架台２１１の上方に回転自在に取り付けられている複数のキャリアローラ２１２と、架台２１１の下方に回転自在に取り付けられている複数のリターンローラ２１３と、キャリアローラ２１２とリターンローラ２１３にて支持される無端状のコンベアベルト２１４とを有する。架台２１１の上方には、飛散防止カバー２１９が取り付けられている。図７に示すように、三基のキャリアローラ２１２がすり鉢状に配設されることにより、その上に搭載されて搬送される廃棄物を側方に落下させることなく搬送することができる。
【００６０】
図６Ａ及び図６Ｂに示すように、架台２１１の一端側には屋外型の駆動モータ２１８（ギヤードモータ）が装備されており、駆動モータ２１８を駆動させることにより、モータ駆動をギヤを介して駆動プーリに伝達し、駆動プーリを介して無端状のコンベアベルト２１４がトラック状にＸ７方向へ回転する。
【００６１】
ここで、図５に示す法面ベルトコンベアユニット２００を構成する各ベルトコンベア２１０Ａ，２１０、２２０の有する駆動モータ２１８は、施工管理者等の有するユーザ端末（図示せず）を操作することにより、同期して各駆動スイッチがＯＮ制御とＯＦＦ制御されるようになっている。
【００６２】
このユーザ端末は、スマートフォンやタブレット、パーソナルコンピュータ（ＰＣ）などを含んでいる。ユーザ端末は、接続バスにより相互に接続されているＣＰＵ（Central Processing Unit）、主記憶装置、補助記憶装置、入出力インターフェイス、及び通信インターフェイス等を備えている。そして、ユーザ端末と各駆動モータ２１８はネットワークを介して通信可能に接続されている。尚、ネットワークには、インターネット等の公衆ネットワーク、携帯電話網等の無線ネットワーク、ＶＰＮ（Virtual Private Network）等の専用ネットワーク、ＬＡＮ（Local Area Network）等が含まれる。
【００６３】
架台２１１の両端のうち、廃棄物の搬送方向の上流側（図６Ａ及び図６Ｂの左側）の端部の下方位置には一対の車輪２１５が設けられており、上方位置には被仮固定部２１７が設けられている。一方、架台２１１における廃棄物の搬送方向の下流側（図６Ａ及び図６Ｂの右側）の端部の下方位置には仮固定部２１６が設けられている。
【００６４】
図２及び図５に示すように、隣接する一方のベルトコンベア２１０、２１０Ａの一部と他方のベルトコンベア２１０、２２０の一部が相互にラップされ、一方のベルトコンベア２１０，２１０Ａの仮固定部２１６が、他方のベルトコンベア２１０，２２０の被仮固定部２１７に対してボルト等により接続されることにより、双方が相互に切り離し自在に仮固定される。
【００６５】
また、図７及び図８に示すように、処分場１００においては、法面１０４に沿って一対の車輪２１５に対応する位置に一対のレール２８０が敷設されている。より具体的には、法面１０４に沿って法面の表層の遮水工を保護するための保護コンクリート２９０が打設され、この保護コンクリート２９０に対して、アンカー（図示せず）を介して溝形鋼により形成される一対のレール２８０が固定される。
【００６６】
法面１０４において、ベルトコンベア２１０，２２０の有する車輪２１５，２２５，２２６が走行するレール２８０が敷設されていることにより、複数のベルトコンベア２１０が接続されてなる法面ベルトコンベアユニット２００を、レール２８０に沿って所望する方向にスムーズに移動させることができる。
【００６７】
また、図８に示すように、レール２８０には、複数のベルトコンベア２１０の有する車輪２１５が係止されるストッパー２８５が取り付けられている。そして、ストッパー２８５の背面には、斜面２８５ａが設けられている。ストッパー２８５の背面に斜面２８５ａが設けられていることにより、引き上げ用ウインチ２６０による引き上げの際に移動してきたベルトコンベア２１０の有する車輪２１５が、Ｘ８方向に乗り上げることができる。
【００６８】
レール２８０において、複数のベルトコンベア２１０，２２０の有する車輪２１５，２２５，２２６がそれぞれ係止されるストッパー２８５が取り付けられていることにより、各ベルトコンベア２１０の車輪２１５，２２５，２２６をそれぞれレール２８０上に係止させることができる。そのため、最上端のベルトコンベア２１０Ａがワイヤ２５２を介して控えアンカー２５１に固定されている場合に、仮にワイヤ２５２が切断等して固定が解除された場合であっても、各ベルトコンベア２１０，２２０の車輪２１５，２２５，２２６は固有のストッパー２８５に係止されていることから、法面ベルトコンベアユニット２００がレール２８０に沿って下方に落下していくことを防止できる。
【００６９】
さらに、ストッパー２８５の背面に斜面２８５ａが設けられていることにより、引き上げ用ウインチ２６０による法面ベルトコンベアユニット２００の引き上げの際に、移動してきた各ベルトコンベア２１０，２２０の有する車輪２１５，２２５，２２６がストッパー２８５の背面にある斜面２８５ａに沿ってスムーズに乗り上げることができる。このことにより、各ベルトコンベア２１０，２２０をレール２８０に対して安定的に係止させるべく設けられたストッパー２８５が、逆にベルトコンベア２１０の法面上方への移動の妨げになるといった課題を解消することができる。
【００７０】
次に、図９Ａ及び図９Ｂを参照して、最下段のベルトコンベアの一例を説明する。ここで、図９Ａ及び図９Ｂはそれぞれ、法面ベルトコンベアユニットを構成する最下段のベルトコンベアの一例の平面図と側面図である。
【００７１】
ベルトコンベア２２０の基本構成はベルトコンベア２１０と同様であり、所定長さの架台２２１と、架台２２１の上方に回転自在に取り付けられている複数のキャリアローラ２２２と、架台２２１の下方に回転自在に取り付けられている複数のリターンローラ（図示せず）と、キャリアローラ２２２とリターンローラにて支持される無端状のコンベアベルト２２４とを有する。架台２２１の上方には、飛散防止カバー２２９が取り付けられている。架台２２１の一端側には屋外型の駆動モータ２２８（ギヤードモータ）が装備されており、駆動モータ２２８を駆動させることにより、モータ駆動をギヤを介して駆動プーリに伝達し、駆動プーリを介して無端状のコンベアベルト２２４がトラック状にＸ８方向へ回転する。
【００７２】
架台２２１の下方の左右にはそれぞれ、車輪付き支持脚２２６が設けられている。車輪付き支持脚２２６は、二本の脚部材２２６ａ，２２６ｂが交点にて回動自在に交差し、当該交点に車輪２２６ｃを備えている。また、一方の脚部材２２６ａの一端２２６ｄは、架台２２１の下方において回動自在に取り付けられ、他方の脚部材２２６ｂの一端２２６ｅは、架台２２１の下方においてＸ９方向にスライド自在に取り付けられている。このように、架台２２１に対して脚部材２２６ａの一端２２６ｄが回動しながら、他方の脚部材２２６ｂの一端２２６ｅが架台２２１の下方においてスライドすることにより、最後尾のベルトコンベア２２０の傾斜角度θを所望の角度に調整することができる。
【００７３】
［実施形態に係る処分場埋立方法］
次に、図１０及び図１５を参照して、実施形態に係る処分場埋立方法の一例について説明する。ここで、図１０乃至図１５は順に、実施形態に係る処分場埋立方法の一例の工程図である。尚、図示例の処分場埋立方法は、ダンピングヤード１２０から搬送ベルトコンベア１３０を経て法面ベルトコンベアユニット２００に廃棄物が搬出されるまでの工程を省略している。また、ここでは、図示例の処分場１００における、第一埋立区画Ｐ１乃至第四埋立区画Ｐ４のいずれかの埋立区画における廃棄物の埋立方法について説明するものとし、他の埋立区画においても同様の方法により廃棄物の埋立貯蔵が行われる。さらに、図示例は、処分場が一段の法面のみを有するものとして埋立方法を説明する。
【００７４】
まず、場内管理用道路１０２には、引き上げ用ウインチ２６０と固定手段２５０とを設置しておく。固定手段２５０は、控えアンカー２５１とワイヤ２５２を有する。そして、処分場１００の法面１０４に沿って、一点鎖線で示すように一対のレール２８０を敷設する。尚、レール２８０には、各ベルトコンベア２１０Ａ，２１０，２２０の有する車輪２１５，２２５、２２６に対応する位置において、図８に示すストッパー２８５が取り付けられている。
【００７５】
レール２８０の下端に最後尾のベルトコンベア２２０をレール２８０に沿って降ろし、ストッパー２８５に車輪２２５，２２６を係止させることにより、最後尾のベルトコンベア２２０をレール２８０上に係止する。
【００７６】
次に、最後尾のベルトコンベア２２０に仮固定されるベルトコンベア２１０をレール２８０に沿って下ろし、最後尾のベルトコンベア２２０の有する被仮固定部２２７（図９Ｂ参照）に対してベルトコンベア２１０の有する仮固定部２１６（図６Ｂ参照）を仮固定し、ストッパー２８５に車輪２１５を係止させることにより、ベルトコンベア２１０の一部と最後尾のベルトコンベア２２０の一部をラップさせた状態で、ベルトコンベア２１０をレール２８０上に係止する。
【００７７】
以後、同様に、別途のベルトコンベア２１０をレール２８０に沿って下ろし、二基のベルトコンベア２１０の一部同士をラップさせた状態で、ベルトコンベア２１０をレール２８０上に係止していき、最上端のベルトコンベア２１０Ａをレール２８０上に係止させることにより、法面１０４上に法面ベルトコンベアユニット２００を構築する。図示例の法面ベルトコンベアユニット２００は、計七基のベルトコンベア２１０，２２０により構成されるコンベアユニットである。最上端のベルトコンベア２１０Ａは、ワイヤ２５２を介して控えアンカー２５１にＺ７方向に引っ張った状態で固定する（以上、法面ベルトコンベアユニット構築工程）。
【００７８】
尚、上記する工程では、レール２８０上に、最後尾のベルトコンベア２２０から順に係止していく方法として説明したが、はじめに最上端のベルトコンベア２１０Ａを固定手段２５０に固定しつつレール２８０上に係止し、以後、法面１０４に沿って順に、下方のベルトコンベア２１０を上方のベルトコンベア２１０と一部ラップさせながらレール２８０上に係止していく構築方法であってもよい。
【００７９】
法面１０４上に法面ベルトコンベアユニット２００を構築した後、図１１に示すように、法面ベルトコンベアユニット２００を用いて、下方の各ベルトコンベア２１０，２２０に対して廃棄物を順次Ｚ６方向に搬出していきながら、処分場１００の所定レベルまで廃棄物を埋立て、埋立層Ｗ１を施工する。
【００８０】
埋立層Ｗ１が施工された後、図１２に示すように、ワイヤ２６１を介して最上端のベルトコンベア２１０Ａを引き上げ用ウインチ２６０に接続し、最上端のベルトコンベア２１０Ａの固定手段２５０への固定を解除した後、引き上げ用ウインチ２６０を作動してワイヤ２６１を巻装し、法面ベルトコンベアユニット２００を法面１０４の上方へＺ８方向に引き上げる。
【００８１】
法面ベルトコンベアユニット２００を法面１０４に沿って上方へ引き上げると、最上端のベルトコンベア２１０Ａは場内管理用道路１０２に引き上げられる。最上端のベルトコンベア２１０Ａを場内管理用道路１０２に引き上げた後、最上端のベルトコンベア２１０Ａの次のベルトコンベア２１０を固定手段２５０へ固定し、最上端のベルトコンベア２１０Ａを引き上げ用ウインチ２６０から固定解除した後、法面ベルトコンベアユニット２００から最上端のベルトコンベア２１０Ａを撤去する（以上、埋立て引き上げ工程）。
【００８２】
図１３は、この埋立て引き上げ工程が二度行われ、当初は七基あったベルトコンベア２１０，２２０から二基のベルトコンベア２１０が順次撤去され、計五基のベルトコンベア２１０，２２０により構成される法面ベルトコンベアユニット２００Ａを示している。そして、最後尾のベルトコンベア２２０は埋立層Ｗ１から所定高さ上方まで移動している。
【００８３】
次に、図１４に示すように、法面ベルトコンベアユニット２００Ａを用いて、下方の各ベルトコンベア２１０，２２０に対して廃棄物を順次Ｚ６方向に搬出していきながら、最後尾のベルトコンベア２２０の位置まで廃棄物を埋立て、別途の埋立層Ｗ２を施工する。
【００８４】
以上で説明する埋立て引き上げ工程を少なくとも場内管理用道路１０２の高さレベルまで実施することにより、図１５に示すように、当初の底面１０６から埋立層Ｗ１乃至埋立層Ｗ５を順次施工し、埋立対象の埋立区画における埋立貯蔵が終了する。この埋立方法を全ての埋立区画において実施することにより、処分場１００への廃棄物の埋立貯蔵が完了する。
【００８５】
図示する処分場埋立方法によれば、処分場１００の法面１０４に沿って複数のベルトコンベア２１０，２２０を配設して法面ベルトコンベアユニット２００を構築するに当たり、隣接する一方のベルトコンベア２１０の一部と他方のベルトコンベア２１０，２２０の一部をラップさせた状態で相互に切り離し自在に仮固定する。このような構成の法面ベルトコンベアユニット２００を用いることで、処分場１００の所定レベルまで廃棄物を埋立てた後、法面ベルトコンベアユニット２００を引き上げて最上端のベルトコンベア２１０Ａを撤去し、この埋立てと引き上げ及びベルトコンベア２１０，２１０Ａの一部撤去を繰り返すことにより、廃棄物を効率的に埋立貯蔵することができる。
【００８６】
尚、上記実施形態に挙げた構成等に対し、その他の構成要素が組み合わされるなどした他の実施形態であってもよく、また、本発明はここで示した構成に何等限定されるものではない。この点に関しては、本発明の趣旨を逸脱しない範囲で変更することが可能であり、その応用形態に応じて適切に定めることができる。
【符号の説明】
【００８７】
１００：処分場
１０２：場内管理用道路
１０４：法面
１０６：底面
１０８：小段
１１０：搬送路
１１２：廃棄物保管場
１１４：場内道路
１２０：ダンピングヤード
１３０：搬送ベルトコンベア
１３１：第一搬送ベルトコンベア
１３２：第二搬送ベルトコンベア
１３９：飛散防止カバー
１４０，１４０'：引き出しベルトコンベア
１４１：第一引き出しベルトコンベア（引き出しベルトコンベア）
１４２：第二引き出しベルトコンベア（引き出しベルトコンベア）
１４５：飛散防止カバー
１４８：伸縮シュート
１５０：第一構台
１６０：第二構台
２００，２００Ａ，２００'：法面ベルトコンベアユニット
２１０：ベルトコンベア（一般部のベルトコンベア）
２１０Ａ：ベルトコンベア（最上端のベルトコンベア、一般部のベルトコンベア））
２１１，２２１：架台
２１２，２２２：キャリアローラ
２１３、２２３：リターンローラ
２１４，２２４：コンベアベルト
２１５，２２５：車輪
２１６：仮固定部
２１７，２２７：被仮固定部
２１８，２２８：駆動モータ
２１９，２２９：飛散防止カバー
２２０：ベルトコンベア（最後尾のベルトコンベア）
２２６：車輪付き支持脚（車輪）
２５０：固定手段
２５１：控えアンカー
２５２：ワイヤ
２６０：引き上げ用ウインチ
２７０：シュート
２７５：第三構台
２８０：レール
２８５：ストッパー
２８５ａ：斜面
３００：処分場埋立システム
Ｗ：廃棄物
Ｐ１：第一埋立区画
Ｐ２：第二埋立区画
Ｐ３：第三埋立区画
Ｐ４：第四埋立区画
【要約】
【課題】効率的に廃棄物を埋立貯蔵することのできる、処分場埋立システム及び処分場埋立方法を提供する。
【解決手段】処分場１００に廃棄物を埋立てる、処分場埋立システム３００であり、処分場１００の法面１０４に沿って複数のベルトコンベア２１０，２２０が配設されて法面ベルトコンベアユニット２００が構成され、法面ベルトコンベアユニット２００では、隣接する一方のベルトコンベア２１０Ａ，２１０の一部と他方のベルトコンベア２１０，２２０の一部が、ラップされた状態で相互に切り離し自在に仮固定されており、法面ベルトコンベアユニット２００を法面１０４に沿って引き上げる引き上げ用ウインチ２６０を備えている。
【選択図】図２【図１】
0006691632.tif 000002
【図２】
0006691632.tif 000003
【図３】
0006691632.tif 000004
【図４】
0006691632.tif 000005
【図５】
0006691632.tif 000006
【図６Ａ】
0006691632.tif 000007
【図６Ｂ】
0006691632.tif 000008
【図７】
0006691632.tif 000009
【図８】
0006691632.tif 000010
【図９Ａ】
0006691632.tif 000011
【図９Ｂ】
0006691632.tif 000012
【図１０】
0006691632.tif 000013
【図１１】
0006691632.tif 000014
【図１２】
0006691632.tif 000015
【図１３】
0006691632.tif 000016
【図１４】
0006691632.tif 000017
【図１５】
0006691632.tif 000018